(57)【特許請求の範囲】
【請求項１】
開口を有する容器部を備え、接着剤を貯蔵したカートリッジを着脱可能に収容する貯蔵室と、
前記カートリッジ内に貯蔵した前記接着剤をノズルへ供給する供給路と
を備えた布接着装置において、
前記貯蔵室に設けられ、前記容器部の前記開口を開閉可能な蓋部と、
前記蓋部に形成され圧力源からの気体を前記貯蔵室内の前記カートリッジに供給する気体供給口と、
前記カートリッジに貫通孔を形成するために前記気体供給口に接続し、前記気体を通す供給路を有する針状部材とを備え、
前記カートリッジは、前記針状部材により前記貫通孔が形成される貫通孔形成予定部と、前記貫通孔形成予定部を囲む弾性の圧力保持部材とを備え、
前記貫通孔形成予定部の厚さは、前記貫通孔形成予定部の周囲の厚さよりも薄く、
前記圧力保持部材は、前記蓋部が前記開口を閉鎖した場合に前記蓋部の前記気体供給口の周囲部と接触して、前記カートリッジに向かう気体の供給路を密閉することを特徴とする布接着装置。
【請求項２】
前記圧力保持部材と前記蓋部との接触面に弾性材で形成した凸部を設け、
前記凸部は、前記圧力保持部材と前記蓋部とが接触する場合に弾性変形することを特徴とする請求項１に記載の布接着装置。
【請求項３】
前記凸部は、前記圧力保持部材に設けたことを特徴とする請求項２に記載の布接着装置。
【請求項４】
前記凸部は、前記蓋部に設けたことを特徴とする請求項２又は３に記載の布接着装置。
【請求項５】
接着剤を貯蔵したカートリッジを貯蔵室に着脱可能に収容し、気体を通す針状部材を備えた蓋部により貯蔵室を閉鎖することにより前記カートリッジに貫通孔を形成して前記気体をカートリッジに供給し、接着剤をカートリッジから吐出させ、その接着剤を使用して布を接着するようにした布接着装置に使用されるカートリッジであって、
前記カートリッジは、
前記貫通孔が形成される貫通孔形成予定部と、
前記貫通孔形成予定部を囲むように設けた弾性の圧力保持部材とを備え、
前記貫通孔形成予定部の厚さは、前記貫通孔形成予定部の周囲の厚さよりも薄く、
前記圧力保持部材は、前記貯蔵室の前記蓋部が前記開口を閉鎖した場合に前記蓋部と接触して、前記カートリッジに向かう気体の供給路を密閉することを特徴とするカートリッジ。
【請求項６】
前記圧力保持部材は、前記圧力保持部材と前記蓋部との接触面に弾性材で形成した凸部を設け、
前記凸部は、前記圧力保持部材と前記蓋部とが接触する場合に弾性変形することを特徴とする請求項５に記載のカートリッジ。
【発明の詳細な説明】
【技術分野】
【０００１】
本発明は布接着装置及びカートリッジに関する。より詳細には、接着剤を貯蔵するカートリッジを着脱可能に収容する貯蔵室を備えた布接着装置及びカートリッジに関する。
【背景技術】
【０００２】
布接着装置は、針と縫糸とで布を縫製する代わりに、接着剤で布と布とを接着するものである。布接着装置は、布と布とを接着剤で接着することで、縫糸による縫製時に布表面に生じる縫糸の凹凸を無くすことが可能である。布接着装置による加工後の布の表面は平滑である。それ故、布接着装置は、着用時に凹凸による不快感のない衣服を作製することが可能となる。
【０００３】
布接着装置は、加熱した液状の接着剤をノズルから吐出する。接着剤は、布に付着する。作業者は、接着剤が付着した布に別の布を重ねる。布接着装置は、双方の布を圧着する。布接着装置は、該方法で布と布とを接着する。
【０００４】
特許文献１に記載の装置は、流動性材料を貯蔵するカートリッジを貯蔵室に収容する。該装置は、カートリッジ内に気体を供給することで、流動性材料をカートリッジから押し出す。カートリッジを収容する貯蔵室は、上部の開口を覆うキャップを設ける。該装置は、キャップと貯蔵室との間にゴム等の弾性体からなるＯリングを設ける。該装置は、Ｏリングを設けることでカートリッジ内に供給する気体が外部に漏れるのを防ぐ。
【先行技術文献】
【特許文献】
【０００５】
【特許文献１】特開２００６−１５０２２８号公報
【発明の概要】
【発明が解決しようとする課題】
【０００６】
布接着装置は、貯蔵室に収容したカートリッジ内の接着剤を加熱してノズルへ供給する。特許文献１に記載の装置の場合、加熱することによって、キャップと貯蔵室との間に設けたＯリングは劣化して変形する場合がある。布接着装置は、Ｏリングが劣化して変形することで、カートリッジ内に気体を供給する場合に気体が外部に漏れる場合がある。布接着装置は、気体が外部に漏れることで、カートリッジ内に供給する気体の圧力を一定に保持することができないという問題点がある。
【０００７】
本発明の目的は、カートリッジ内に供給する気体が外部に漏れるのを確実に防ぎ、カートリッジ内に供給する気体の圧力を保持することができる布接着装置及びカートリッジを提供することである。
【課題を解決するための手段】
【０００８】
上述の問題点を解決するために、請求項１に記載の布接着装置は、開口を有する容器部を備え、接着剤を貯蔵したカートリッジを着脱可能に収容する貯蔵室と、前記カートリッジ内に貯蔵した前記接着剤をノズルへ供給する供給路とを備えた布接着装置において、前記貯蔵室に設けられ、前記容器部の前記開口を開閉可能な蓋部と、前記蓋部に形成され圧力源からの気体を前記貯蔵室内の前記カートリッジに供給する気体供給口と、前記カートリッジに貫通孔を形成するために前記気体供給口に接続し、前記気体を通す供給路を有する針状部材とを備え、前記カートリッジは、前記針状部材により前記貫通孔が形成される貫通孔形成予定部と、前記貫通孔形成予定部を囲む弾性の圧力保持部材とを備え、前記貫通孔形成予定部の厚さは、前記貫通孔形成予定部の周囲の厚さよりも薄く、前記圧力保持部材は、前記蓋部が前記開口を閉鎖した場合に前記蓋部の前記気体供給口の周囲部と接触して、前記カートリッジに向かう気体の供給路を密閉することを特徴とする。
【０００９】
請求項２に記載の布接着装置は、請求項１に記載の発明の構成に加えて、前記圧力保持部材と前記蓋部との接触面に弾性材で形成した凸部を設け、前記凸部は、前記圧力保持部材と前記蓋部とが接触する場合に弾性変形することを特徴とする。
【００１０】
請求項３に記載の布接着装置は、請求項２に記載の発明の構成に加えて、前記凸部は、前記圧力保持部材に設けたことを特徴とする。
【００１１】
請求項４に記載の布接着装置は、請求項２又は３に記載の発明の構成に加えて、前記凸部は、前記蓋部に設けたことを特徴とする。
【００１２】
請求項５に記載のカートリッジは、接着剤を貯蔵したカートリッジを貯蔵室に着脱可能に収容し、気体を通す針状部材を備えた蓋部により貯蔵室を閉鎖することにより前記カートリッジに貫通孔を形成して前記気体をカートリッジに供給し、接着剤をカートリッジから吐出させ、その接着剤を使用して布を接着するようにした布接着装置に使用されるカートリッジであって、前記カートリッジは、前記貫通孔が形成される貫通孔形成予定部と、前記貫通孔形成予定部を囲むように設けた弾性の圧力保持部材とを備え、前記貫通孔形成予定部の厚さは、前記貫通孔形成予定部の周囲の厚さよりも薄く、前記圧力保持部材は、前記貯蔵室の前記蓋部が前記開口を閉鎖した場合に前記蓋部と接触して、前記カートリッジに向かう気体の供給路を密閉することを特徴とする。
【００１３】
請求項６に記載のカートリッジは、請求項５に記載の発明の構成に加えて、前記圧力保持部材は、前記圧力保持部材と前記蓋部との接触面に弾性材で形成した凸部を設け、前記凸部は、前記圧力保持部材と前記蓋部とが接触する場合に弾性変形することを特徴とする。
【００１４】
【発明の効果】
【００１５】
請求項１の布接着装置では、カートリッジに圧力保持部材を設ける。圧力保持部材は、蓋部が開口を閉鎖した場合に蓋部の気体供給口の周囲と接触して、気体の供給路を密閉することができる。圧力保持部材は、カートリッジに設けてあることから、カートリッジを交換する際にカートリッジとともに交換することができる。それ故、布接着装置は、圧力保持部材をカートリッジ交換のたびに交換できるため、従来のように劣化して変形してしまうことを防ぐことができる。布接着装置は、圧力保持部材の変形による気体の漏れを防ぐことができる。従って、布接着装置は、カートリッジ内に供給する気体の圧力を保持することができる。
【００１６】
請求項２の布接着装置では、請求項１に記載の発明の効果に加え、圧力保持部材と蓋部との接触面の少なくとも一方に弾性材で形成した凸部を設ける。蓋部が開口を閉鎖する場合に凸部が弾性変形するため、カートリッジに加わる圧力は減少する。従って、布接着装置は、カートリッジが変形するのを防ぐことができる。
【００１７】
請求項３の布接着装置では、請求項２に記載の発明の効果に加え、凸部は圧力保持部材に設ける。凸部はカートリッジを交換する際に圧力保持部材とともに交換することができる。それ故、布接着装置は、凸部が劣化して変形するのを防ぐことができる。
【００１８】
請求項４の布接着装置では、請求項２又は３に記載の発明の効果に加え、凸部は、蓋部に設ける。蓋部が開口を閉鎖する場合に凸部によって弾性変形する変形量を増加することができるため、気体の供給路をより密閉することができる。従って、布接着装置は、カートリッジ内に供給する気体の圧力を保持することができる。
【００１９】
請求項５のカートリッジは、蓋部側の面に貫通孔形成予定部を有する。圧力保持部材は、カートリッジの蓋部側の面に貫通孔形成予定部を囲むように設ける。圧力保持部材は、蓋部が開口を閉鎖した場合に蓋部と接触して、気体の供給路を密閉することができる。圧力保持部材は、カートリッジの蓋部側の面に設けてあることから、布接着装置で使用する場合カートリッジ交換時にカートリッジとともに交換することができる。それ故、カートリッジは、圧力保持部材が劣化して変形するのを防ぐことができる。カートリッジは、圧力保持部材が変形してカートリッジへ向かう気体が漏れるのを防ぐことができる。従って、カートリッジは、貯蔵室に収容した場合にカートリッジ内へ向かう気体の供給路を確実に密閉することができる。カートリッジは、貯蔵室に収容した場合にカートリッジ内に供給する気体の圧力を保持することができる。
【００２０】
請求項６のカートリッジでは、請求項５に記載の発明の効果に加え、圧力保持部材は、蓋部との接触面に弾性材で形成した凸部を設ける。蓋部が開口を閉鎖する場合に凸部が弾性変形するため、カートリッジに加わる圧力は減少する。従って、カートリッジは、弾性材によって貯蔵室に収容した場合に変形するのを防ぐことができる。
【００２１】
【図面の簡単な説明】
【００２２】
【図１】布接着装置１全体を前方左上から見た斜視図である。
【図２】接着機２を前方左上から見た斜視図である。
【図３】接着機２の正面図である。
【図４】接着機２の左側面図である。
【図５】接着機２の内部構造を前方左上から見た斜視図である。
【図６】図２のＩ−Ｉ線における矢視方向断面図である。
【図７】図２のＩ−Ｉ線における矢視方向断面図（押圧部６４が球体４３を押し上げた状態）である。
【図８】カートリッジ６０の正面図である。
【図９】カートリッジ６０の上面を上方から見た斜視図である。
【図１０】図２のＩＩ−ＩＩ線における矢視方向断面図である。
【図１１】図２のＩＩＩ−ＩＩＩ線における矢視方向断面図である。
【図１２】接着作業時におけるノズル１７近傍の様子を示した部分拡大斜視図である。
【発明を実施するための形態】
【００２３】
以下、本発明に係る布接着装置１の一実施の形態について、図面を参照して説明する。
【００２４】
図１〜図４を参照し、布接着装置１の構成について説明する。以下、図３に示す接着機２のうち紙面上側、下側、右側、左側、表面側、裏面側を、それぞれ接着機２の上側、下側、右側、左側、前側、後側と定義して説明する。
【００２５】
図１を参照し、布接着装置１全体の構成について説明する。図１に示すように、布接着装置１は、接着機２と、使用台２２０とを備えている。使用台２２０は接着機２を固定する。接着機２は、対向配置した２層の布の間に接着剤を付着し、布を押圧し移送する。２層の布は、接着機２の前述した動作を経て接着する。接着機２の構成詳細については後述する。
【００２６】
使用台２２０は、天板２１１と、左右の脚部２１２、２１３と、左右の支持部２１４、２１５と、足掛け２１６とを備えている。接着機２は、天板２１１の上に固定している。天板２１１は、平面視で左右方向を長手方向とする矩形板状である。天板２１１の左右方向の長さは、接着機２の左右方向の長さの約３倍である。天板２１１の前後方向の長さは、接着機２の前後方向の長さの約２倍である。
【００２７】
天板２１１は、接着機２の固定部分の右側に操作パネル２１０を備える。操作パネル２１０は、液晶表示部２０７と、複数のキー２０９とを備える。液晶表示部２０７は、各種情報を表示する。キー２０９は、各種入力をするものである。作業者は、液晶表示部２０７を見ながらキー２０９を操作することで、布接着装置１の各種動作を設定する。
【００２８】
板状の左脚部２１２は、天板２１１の左端から、鉛直方向に下方に延びている。板状の右脚部２１３は、天板２１１の右端から、鉛直方向に下方に延びている。左支持部２１４は、左脚部２１２の下端に固定している。右支持部２１５は、右脚部２１３の下端に固定している。左支持部２１４及び右支持部２１５は、それぞれ、前後方向を長手方向とする略角柱状の部材である。
【００２９】
細長い板状の足掛け２１６は、左支持部２１４の前後方向中央部分と、右支持部２１５の前後方向中央部分との間を繋いでいる。ペダル２０８は、足掛け２１６の左右方向略中央に設けてある。作業者は、布の移送速度を調整するためにペダル２０８を使用する。
【００３０】
制御ボックス３は、天板２１１の下側に固定してある。制御ボックス３は、ＣＰＵ（図示省略）等を実装した制御基板を格納する。制御ボックス３は、接着機２、操作パネル２１０、及びペダル２０８に電気的に接続する。
【００３１】
圧縮機２１７は、左脚部２１２の左側に配置してある。圧縮機２１７は、上下方向を長手方向とする略円筒形状を有する。ホース６１は、圧縮機２１７の上部に接続する。ホース６１は、圧縮機２１７と接続する側と反対側の端部が、接着機２の貯蔵室１８の蓋部４７（図２参照）に接続する。ホース６１は、その内部を開閉可能なバルブ６９を接続している。圧縮機２１７は、ホース６１内部を介して気体を供給可能である。バルブ６９は、圧縮機２１７が貯蔵室１８内に供給する気体の流通を制御し気体供給状態と気体遮断状態とを切り換える。
【００３２】
図２から図４を参照し、接着機２の構成について説明する。図２及び図３に示すように、接着機２は、台座部１１と、脚柱部１２と、アーム部１３とを備えている。台座部１１は、左右方向を長手方向とする略直方体状である。台座部１１は、天板２１１（図１参照）に固定している。脚柱部１２は、台座部１１の右端から鉛直方向に延びている。アーム部１３は、脚柱部１２の上端に接続し、脚柱部１２の左側面よりも左方に突出している。アーム部１３の左右方向の長さは、台座部１１の左右方向の長さの約３分の１である。
【００３３】
台座部１１は、下移送ローラ２５（図５参照）、第三モータ９３（図５参照）等を内部に備える。下移送ローラ２５は、後述する上移送ローラ２２と共に布を押圧して移送する。第三モータ９３は、下移送ローラ２５を駆動する。台座部１１は、脚柱部１２を支持する土台として機能する。脚柱部１２は、アーム部１３を支持する。
【００３４】
図２に示すように、アーム部１３の左端部は、前方から順に、ポンプケース１４と、貯蔵室１８と、梁部１９とを支持している。アーム部１３は、第一モータ９１（図５参照）、第二モータ９２（図５参照）等を内部に備える。第一モータ９１は、ギアポンプ１２４（図５参照）を駆動する。第二モータ９２は、上移送ローラ２２を駆動する。
【００３５】
ポンプケース１４について説明する。図２及び図３に示すように、ポンプケース１４は、第一ポンプケース３１と第二ポンプケース３２とを備えている。第一ポンプケース３１は、略立方体状の部材である。第一ポンプケース３１は、アーム部１３の左側面に固定している。第一ポンプケース３１は、ギアポンプ１２４（図５参照）等を内部に備える。ギアポンプ１２４は、適量の接着剤を高精度でノズル１７に供給する。第二ポンプケース３２は、略直方体状の部材である。第二ポンプケース３２は、第一ポンプケース３１の左下端面から下方に延びている。図３に示すように、第一ポンプケース３１の上下方向の長さは、アーム部１３の上下方向の長さと略同一である。第二ポンプケース３２の左右方向の位置は、台座部１１の左右方向中央の位置と略同一である。
【００３６】
第二ポンプケース３２は、左側に軸部４５（図３参照）を備えている。軸部４５は、支持部１６の上端部１６２の右側に接続し、支持部１６を軸部４５の周りに揺動可能に支持する。ポンプケース１４は、後述する供給路８１（図１０参照）と供給路８２（図１０参照）とを備えている。供給路８１は、接着剤を貯蔵室１８からギアポンプ１２４へ導く。供給路８２は、接着剤をギアポンプ１２４から支持部１６へ導く。
【００３７】
図２及び図３に示すように、支持部１６の形状は、上下方向を長手方向とする略直方体状である。支持部１６の下端部１６４と台座部１１との間は、僅かな隙間が存在する。支持部１６は、供給路８３（図１１参照）を内部に備える。供給路８３は、接着剤をポンプケース１４からノズル１７へ導く。支持部１６は、下端部１６４にノズル１７を備えている。ノズル１７は、支持部１６から布に沿うように左側に延びている。支持部１６は、上端部１６２に駆動伝達部１６１を備えている。駆動伝達部１６１は、エアシリンダ２４の可動部７５の先端部を支持する。
【００３８】
エアシリンダ２４は、エア注入口を備えている。エア注入口には、それぞれ、図示しない吸排気用ホースが接続している。布接着装置１は、エア注入口への圧縮気体の吸気／排気を制御する。エアシリンダ２４の本体部７４内にあるピストンの位置は、吸気／排気の制御によって移動する。可動部７５は、ピストンに接続している。それ故、ピストンが移動すると、可動部７５の先端部は前後に移動する。
【００３９】
支持部１６は、エアシリンダ２４の可動部７５が前後に移動することで、軸部４５を中心軸として前後方向に揺動する。ノズル１７は、支持部１６の揺動に伴って、布の接着作業を行う場合の位置（使用位置、図１２参照）と、保守を行う場合の位置（保守位置）とに移動する。保守位置は支持部１６が図１２の使用位置よりも前側上方に移動した位置である。
【００４０】
ノズル１７は円筒形状である。ノズル１７は、その下側に接着剤を吐き出す吐き出し口８６（図１１参照）を備えている。作業者が布の接着作業を行う場合、吐き出し口８６は台座部１１と対向する。接着作業を行う場合、作業者は、対向配置した２層の布の間にノズル１７を挿入する。ギアポンプ１２４（図５参照）は、支持部１６内部の供給路８３を介して、接着剤をノズル１７に供給する。ノズル１７は、吐き出し口８６から布に接着剤を吐出する。接着剤は、ノズル１７の下方に位置する布の表面に付着する。
【００４１】
図２及び図３に示すように、貯蔵室１８は、上下方向を長手方向とする略直方体状である。貯蔵室１８は、アーム部１３の左側、且つポンプケース１４の後方部分から上方に延びている。貯蔵室１８は、本体部４６、及び蓋部４７を備える。本体部４６の形状は、上部が開口した有底筒状である。蓋部４７は、本体部４６の上部開口を覆う。貯蔵室１８は、熱溶融性の接着剤（図示省略）を本体部４６の内部に貯蔵する。貯蔵室１８は、貯蔵した接着剤を、必要に応じてギアポンプ１２４及びノズル１７に供給する。熱溶融性の接着剤は、所定の温度に加熱すると液化し、該所定の温度より低い温度では、固化するものである。尚、貯蔵室はヒータを備え、後述するカーリッジ内の接着剤を加熱溶融する。
【００４２】
図２に示すように、梁部１９は、本体部１９１と、ばね支持部１９３と、柱部１９２とを備えている。本体部１９１は、アーム部１３の左側後端部から左方へ水平方向に延びる部材である。本体部１９１の左右方向の長さは、台座部１１の左右方向の長さの約３分の１である。ばね支持部１９３は板状であり、本体部１９１の左側端部から前方へ水平方向に延びる。ばね支持部１９３の前後方向の長さは、台座部１１の前後方向の長さの約２分の１である。図２及び図４に示すように、柱部１９２は、水平面に対して約４５度の角度で、本体部１９１から前方斜め下の方向に延びている。柱部１９２の下端部は、台座部１１から離れている。
【００４３】
図２に示すように、ばね支持部１９３は、前方先端部に穴を有する。ばね支持部１９３は、軸部５１を上下動可能に支持する。軸部５１は、ばね２１に挿通してある。軸部５１の上端部分は、ばね支持部１９３の穴に挿通してある。柱部１９２は、下端部分の左側に左右に延びる軸部５２を有している。軸部５２は、ローラ保持部２０の後端部を支持している。ローラ保持部２０は、その前端部が軸部５２を揺動中心として上下方向に揺動する。本体部１９１は、ばね支持部１９３よりも右側に、エアシリンダ２４を備えている。エアシリンダ２４は、支持部１６の位置を切り替えるものである。
【００４４】
ローラ保持部２０について説明する。ローラ保持部２０の前端部は、円柱状の上移送ローラ２２を回転可能に支持している。上移送ローラ２２は、支持部１６から延びたノズル１７の後方近傍にある。ローラ保持部２０は、中央からやや前方の上面に、軸支持部５９を有する。軸支持部５９は、ばね２１に挿通している軸部５１の下端を支持している。ばね２１は、ばね支持部１９３と軸部５１の下端との間に介在する。ばね２１は、軸部５１を下方へ付勢することで、ローラ保持部２０を下方へ付勢する。
【００４５】
図２に示すように、台座部１１は、上移送ローラ２２の下方部分に穴部２３を設けてある。下移送ローラ２５（図５参照）の一部は、穴部２３から上方に僅かに突出している。下移送ローラ２５は、上移送ローラ２２と共に回転する。下移送ローラ２５と上移送ローラ２２とは、該両ローラ２５，２２が挟持した布を前方から後方に移送する。
【００４６】
図５を参照し、接着機２の内部構造について説明する。接着機２は、第一モータ９１、第二モータ９２、第三モータ９３等を内部に備える。
【００４７】
第一モータ９１は、回転軸１２１を介して回転駆動力をギアポンプ１２４に伝達することで、ギアポンプ１２４を駆動する。ギアポンプ１２４は、駆動ギア１２２と、従動ギア１２３とを備えている。駆動ギア１２２は、回転軸１２１の左側先端部に固定している。駆動ギア１２２は、回転軸１２１と共に回転する。従動ギア１２３は、駆動ギア１２２と噛合する。第一モータ９１は、アーム部１３内部に、且つポンプケース１４がアーム部１３と接続する部分の右方に位置する。回転軸１２１は、ポンプケース１４内を第一モータ９１の回転軸から左方に延びる。駆動ギア１２２と従動ギア１２３とは、適量の接着剤をノズル１７に供給する。
【００４８】
第二モータ９２は、回転軸１２６、１２７、１２８、及びベルト１２９、１３０を介して、回転駆動力を上移送ローラ２２に伝達することで、上移送ローラ２２を駆動する。第二モータ９２は、アーム部１３内部に、且つ梁部１９がアーム部１３と接続している部分の右方に位置する。
【００４９】
回転軸１２６は、第二モータ９２の回転軸から左方に延び、本体部１９１内を貫通している。回転軸１２６の左側先端部は、柱部１９２内に位置する。回転軸１２６の左側先端部は、プーリを支持している。回転軸１２７の右側先端部は、柱部１９２の下側端部内に延びている。回転軸１２７の左側先端部は、ローラ保持部２０の後端部内に延びている。回転軸１２７の右側先端部と左側先端部は、それぞれプーリを支持している。回転軸１２８は、上移送ローラ２２の回転軸である。回転軸１２８の左側端部は、ローラ保持部２０の前端部の内部に延び、プーリを支持している。回転軸１２８の右側先端部は、ローラ保持部２０の前端部から突出し、上移送ローラ２２を支持している。ベルト１２９は、柱部１９２内で、回転軸１２６の左側端部のプーリと回転軸１２７の右側端部のプーリとの間に掛け渡してある。ベルト１３０は、ローラ保持部２０内で、回転軸１２７の左端部のプーリと回転軸１２８の左端部のプーリとの間に掛け渡してある。上移送ローラ２２は、第二モータ９２が回転することで回転する。
【００５０】
第三モータ９３は、回転軸１４１とベルト１４２とを介して、回転駆動力を下移送ローラ２５に伝達することで、下移送ローラ２５を駆動する。下移送ローラ２５は、円柱形状であり、回転軸１４１に固定している。下移送ローラ２５は、上移送ローラ２２の下方、且つ台座部１１内に位置する。台座部１１は、内部に支持台座４を有する。支持台座４は、回転軸１４１を回転可能に支持している。ベルト１４２は、台座部１１内で、第三モータ９３の回転軸のプーリと回転軸１４１の右端のプーリとの間に掛け渡してある。下移送ローラ２５は、第三モータ９３が回転することで回転する。
【００５１】
図６及び図７を参照し、貯蔵室１８について説明する。本体部４６は、底壁と周壁とを備えている。穴６７は、本体部４６内に設けてある。穴６７は、上下方向を長手方向とする有底略円筒形状である。布接着装置１は、接着剤を充填したカートリッジ６０を穴６７に収容している。蓋部４７は、穴６７の上部開口を覆っている。穴６７の内部は、蓋部４７が上部開口を覆った状態（蓋部４７が閉鎖した状態）で、密閉状態となる。
【００５２】
蓋部４７は、中央部分に気体供給口４９を設けている。気体供給口４９は、蓋部４７の上下方向に貫通する穴である。蓋部４７は、気体供給口４９に針状部材７０を嵌め込む。針状部材７０は、下側の先端部が尖った略円錐形状である。針状部材７０は、上下方向に圧縮機２１７からの気体を通す供給路７１を形成している。針状部材７０は、その下部分に円弧状の溝７２を形成している。溝７２は、供給路７１の下端部と接続する。溝７２は、圧縮機２１７からの気体を穴６７の内部へ通す。
【００５３】
第三エアシリンダ６５は、本体部４６の下部分に設けてある。第三エアシリンダ６５内部にあるピストンの位置は、図示しないエア注入口への圧縮気体の吸気／排気によって移動する。押圧部６４は、ピストンに接続している。ピストンが移動すると、押圧部６４の先端は、上下に移動する。穴６７の底面の中央部分に穴６３が設けてある。押圧部６４の上方部分は、穴６３の下方から上方に進入している。接着剤をポンプケース１４に通す供給路８１（図１０参照）は、図示を省略するが、穴６３の下端部に接続している。
【００５４】
図６に示すように、押圧部６４の上端は、押圧部６４が下方に移動した場合、穴６７の底面より下方にある。図７に示すように、押圧部６４の上端は、押圧部６４が上方に移動した場合、穴６７の底面から僅かに上方に突出する。
【００５５】
図６〜図９を参照し、カートリッジ６０について説明する。カートリッジ６０は、アルミ製の本体部５４と鉄製の補強板２６３と弾性部材２６０とを備えている。カートリッジ６０は、その下部の連結突起５７にバルブ４０の上端部を着脱可能にはめ込んで一体化している。従って、カートリッジ６０は、交換する際にバルブ４０を外すことで、安価に交換することができるようになっている。カートリッジ６０は、上下方向を長手方向とし、バルブ４０が下方に位置する向きで、穴６７に収まっている。バルブ４０の下面は、穴６７の底面に接している。
【００５６】
本体部５４は、略円筒形状である。本体部５４の直径は、穴６７の直径と略同一である。本体部５４は、内部に接着剤５５を充填している。本体部５４は、その上面が蓋部４７を閉鎖した場合に蓋部４７と接触する。補強板２６３は、本体部５４の上面に設けてある。補強板２６３は、円環状の板である。カートリッジ６０は、補強板２６３の円環形状の中心に貫通孔形成予定部２６６を有する。本体部５４は、その上面の厚さが、貫通孔形成予定部２６６と補強板２６３を設けた箇所とで異なる。
【００５７】
弾性部材２６０は、補強板２６３の上部に貼り付けてある。弾性部材２６０は、中心に穴部２６２を有する円環板状に形成している。弾性部材２６０は、その円環の幅が補強板２６３の円環の幅よりも狭い。弾性部材２６０は、その上面に弾性材で形成した凸部２６１を円環に沿って周回するように一体に設けてある。凸部２６１は、本体部５４の円筒壁の端よりも外方に突出する（図８では上方に突出している）。凸部２６１は、蓋部４７を閉鎖した場合に、蓋部４７の気体供給口４９の周囲部と接触する。蓋部４７を閉鎖することで、凸部２６１は弾性変形する。
【００５８】
内蓋５６は、本体部５４の内部に設けてある。内蓋５６は、本体部５４内で図７における下方に移動可能であり、接着剤５５の上面に接触している。内蓋５６は、下方に移動することで接着剤５５に対して下方に圧力を加えることができる。蓋部４７の針状部材７０は、尖っている先端部が本体部５４の上壁の貫通孔形成予定部２６６に穴６６を空ける。圧縮機２１７（図１参照）は、ホース６１を介して本体部５４内に気体を送り出す。該気体は、内蓋５６を下方に押す。内蓋５６は、接着剤５５を下方に押す。
【００５９】
流路４１は、バルブ４０内に設けてある。流路４１は、バルブ４０内を上下方向に延びる貫通穴である。流路４１の上端は、本体部５４内に連通している。バルブ４０の下端面に、穴４４が設けてある。穴４４の内径は、流路４１の内径と比較して小さい。流路４１の下端は、穴４４に接続している。カートリッジ６０を穴６７に収容した状態で、穴４４は、穴６７の底面に設けた穴６３の上方に対向配置している。
【００６０】
球体４３と、球体４３を下方に付勢するばね４２とは、流路４１内に設けてある。球体４３の直径は、流路４１の内径よりもわずかに小さい。球体４３の直径は、穴４４の内径の約１．５倍である。ばね４２は、球体４３を下方に付勢している。図６に示すように、球体４３は、流路４１の内側から穴４４を塞いでいる。
【００６１】
図６及び図７を参照して、カートリッジ６０に充填した接着剤５５を外部に押し出す手順を説明する。図６に示すように、作業者は、カートリッジ６０を貯蔵室１８の穴６７に収容する。押圧部６４は、穴６７の底面より下方に移動している。球体４３は、バルブ４０の穴４４を塞いでいる。それ故、接着剤５５は、カートリッジ６０から外部に流出しない（図６参照）。
【００６２】
作業者は、蓋部４７を閉鎖する。蓋部４７の針状部材７０は、尖っている先端部がカートリッジ６０の本体部５４の上壁の貫通孔形成予定部２６６に穴６６を空ける。蓋部４７を閉鎖することで、凸部２６１及び弾性部材２６０は弾性変形して、貯蔵室１８内部を密閉する。凸部２６１の水平断面は弾性部材２６０水平断面よりも小さいので、凸部２６１の変形は弾性部材２６０の変形よりも大きい。弾性部材２６０と本体部５４の上面との間に補強板２６３を設けることで、本体部５４の上面の厚さは、貫通孔形成予定部２６６とその周囲との間で変化する。本体部５４の上面の貫通孔形成予定部２６６の厚さを、本体部５４の上面の貫通孔形成予定部２６６の周囲部分の厚さよりも薄く形成してある。蓋部４７を閉鎖したときに、上面には針状部材７０、弾性部材２６０及び凸部２６１を介して押圧力がかかる。しかし、補強板２６３により貫通孔形成予定部２６６の周囲部分の変形を防止できるので、凸部２６１及び弾性部材２６０による気密状態を確実に維持できる。
【００６３】
作業者は、第三エアシリンダ６５を駆動すると、第三エアシリンダ６５のピストンは移動し、押圧部６４は上方に移動する。図７に示すように、穴６７の底面より上方に移動した押圧部６４は、球体４３を上方に押し上げる。バルブ４０の穴４４と球体４３との間には、隙間ができる。同時に、圧縮機２１７（図１参照）は、気体を本体部４６内に送る。気体は、カートリッジ６０内の内蓋５６を下方に押す。内蓋５６は、接着剤５５を下方に押す。接着剤５５は、流路４１を通って下方に流れる。接着剤は、穴４４と球体４３との隙間を通り、カートリッジ６０内から穴６３に流出する。接着剤５５は、穴６３に接続した供給路８１内に流れる。
【００６４】
図１０及び図１１を参照し、接着剤の供給路について説明する。
【００６５】
図１０に示すように、穴６３に接続する供給路８１は、ポンプケース１４側の周壁下端においてポンプケース１４側へ延びる貫通穴である。供給路８１は、カートリッジ６０から流出した接着剤をギアポンプ１２４に導くための通路である。
【００６６】
供給路８１は、貯蔵室１８から、ポンプケース１４の第一ポンプケース３１内の中央に至る。供給路８１は、第一ポンプケース３１の中央部分で右方（図１０では、紙面裏面側）に直角に曲折して、駆動ギア１２２と従動ギア１２３とが噛み合う部分の上端に至る。
【００６７】
図１１に示すように、供給路８２は、ギアポンプ１２４を通過した接着剤を、支持部１６の供給路８３に導くための通路である。供給路８２は、駆動ギア１２２と従動ギア１２３（図１０参照）とが噛み合う部分の下端から左方に延びる。該左方に延びた供給路８２は、下方に曲折し、その下端において左方に曲折し、軸部４５を通って支持部１６内の供給路８３に至る。
【００６８】
供給路８３は、供給路８２を流れる接着剤をノズル１７に導くための通路である。供給路８３は、支持部１６の内部で上端部１６２から下端部１６４まで延び、ノズル１７内の供給路８４に至る。
【００６９】
供給路８４は、供給路８３を流れる接着剤を、吐き出し口８６に導くための通路である。吐き出し口８６は、ノズル１７の左端部の下方部分に設けてある。供給路８４は、ノズル１７の内部で右端から左端まで延び、吐き出し口８６に接続している。接着剤は、吐き出し口８６から外部に吐出する。
【００７０】
図１０及び図１１を参照して、貯蔵室１８からポンプケース１４と支持部１６とを経由してノズル１７の吐き出し口８６に至る接着剤の流れについて説明する。押圧部６４は、球体４３を上方に押し上げ、接着剤は、カートリッジ６０から流出する。流出した接着剤は、供給路８１を経由してギアポンプ１２４に流れる。第一モータ９１は駆動ギア１２２を駆動し、駆動ギア１２２と従動ギア１２３とが回転する。ギアポンプ１２４は、液体状態の接着剤を、供給路８１から供給路８２に向けて送り出す。接着剤は、供給路８２から供給路８３に向かって流れ、供給路８４に至り、吐き出し口８６から外部に吐出する。
【００７１】
図１２を参照し、上布１５１と下布１５２とを接着する接着作業時における接着機２の様子について説明する。
【００７２】
接着作業を行う場合には、接着機２は、エアシリンダ２４（図２参照）の可動部７５（図２参照）を前方に移動して、支持部１６を図１２に示す使用位置に移動する。作業者は、上布１５１と下布１５２とを重ねて配置する。作業者は、布の接着部分にノズル１７を配置する。上移送ローラ２２と下移送ローラ２５は、ノズル１７の後方で、上布１５１と下布１５２とを挟持する。
【００７３】
カートリッジ６０から流出した接着剤は、供給路８１を通り、ギアポンプ１２４に流れる。作業者がペダル２０８を踏み込むと、ギアポンプ１２４は駆動する。ギアポンプ１２４は、接着剤を供給路８２〜８４に送り出す。接着剤は、ノズル１７の吐き出し口８６から吐出する。吐き出し口８６から吐出した接着剤は、下布１５２に付着する。上移送ローラ２２と下移送ローラ２５とは、上布１５１と下布１５２とを前方から後方に移送する方向に回転する。ばね２１は、上移送ローラ２２を下方へ付勢する。それ故、上移送ローラ２２と下移送ローラ２５とは、上布１５１と下布１５２とを押しつけて接着する。
【００７４】
以上説明したように、本実施の形態では、カートリッジ６０は、貯蔵室１８の蓋部４７を閉鎖した場合に、蓋部４７の下面と接触する弾性部材２６０を設ける。布接着装置１は、蓋部４７の下面と弾性部材２６０（凸部２６１）とが接触するので、圧縮機２１７からの気体を供給路７１内で密閉することができる。従って、布接着装置１は、貯蔵室１８内を確実に密閉することができる。布接着装置１は、貯蔵室１８が密閉しているので、カートリッジ６０内に供給する気体の圧力を保持することができる。布接着装置１は、適量の接着剤をギアポンプ１２４に送り出し、ノズル１７から吐出できる。
【００７５】
弾性部材２６０は、蓋部４７を閉鎖した場合に弾性変形する。弾性部材２６０が弾性変形するため、カートリッジ６０に加わる圧力は減少する。従って、布接着装置１は、蓋部４７を閉鎖する場合にカートリッジ６０が変形するのを防ぐことができる。
【００７６】
弾性部材２６０は、蓋部４７を閉鎖した場合に弾性部材２６０と蓋部４７とが接触する接触面に凸部２６１を設ける。蓋部４７を閉鎖する場合に、凸部２６１が弾性変形する変形量はより大きくなる。布接着装置１は圧縮機２１７からの気体を供給路７１内でより確実に密閉することができる。従って、布接着装置１は、貯蔵室１８内をより確実に密閉することができる。
【００７７】
本発明は上記実施の形態に限定するものではなく、種々の変更が可能である。前述の実施の形態では、布接着装置１は、凸部２６１を弾性部材２６０に設けた。凸部２６１は、蓋部４７に設けてもよい。前述の場合、布接着装置１は、弾性部材２６０に凸部を形成する必要がないので、容易に弾性部材２６０を形成することができる。凸部２６１は、弾性部材２６０又は蓋部４７の一方に設けるだけでなく、弾性部材２６０及び蓋部４７の両方に設けてもよい。前述の場合、布接着装置１は、弾性部材２６０及び蓋部４７の両方に設けた凸部が接することができる。従って、布接着装置１は、蓋部４７を閉鎖する場合にカートリッジ６０への圧力を軽減することができる。布接着装置１は、蓋部４７を閉鎖する場合にカートリッジ６０が変形するのを防ぐことができる。
【００７８】
実施の形態では、布接着装置１は、凸部２６１を弾性部材２６０に設けた。凸部２６１は、必須ではなく、設けなくてもよい。前述の場合、布接着装置１は、凸部を設ける必要がないので、簡易な構成で貯蔵室１８内を密閉することができる。布接着装置１は、弾性部材２６０が弾性変形するためカートリッジ６０に加わる圧力は減少する。布接着装置１は、蓋部４７を閉鎖する場合にカートリッジ６０が変形するのを防ぐことができる。
【００７９】
実施の形態では、布接着装置１は、鉄製の補強板２６３を設けた。本発明はこれに限らず、補強板２６３は銅板又はステンレス鋼等、鉄以外の金属材料であってもよい。補強板２６３を設けるかわりに、カートリッジ６０の本体部５４の上面を一枚板構造とし、貫通孔形成予定部２６６のみ厚さを薄く切除しても良い。
【００８０】
実施の形態では、布接着装置１は、カートリッジ６０に設けた補強板２６３の円環の幅より弾性部材２６０の円環の幅のほうが狭かった。本発明はこれに限らず、補強板２６３の円環の幅と弾性部材２６０の円環の幅とが同一であってもよい。前述の場合、布接着装置１は、弾性部材２６０の円環の幅を広くすることで、弾性部材２６０と蓋部４７との接触面積を大きくすることができる。従って、布接着装置１は、蓋部４７を閉鎖する場合にカートリッジ６０への圧力を軽減することができる。布接着装置１は、蓋部４７を閉鎖する場合にカートリッジ６０が変形するのを防ぐことができる。
【００８１】
実施の形態では、弾性部材２６０は、穴部２６２を有する略円環状に形成した。本発明はこれに限らない。例えば、弾性部材２６０は穴部２６２を有する略四角、又は略三角など、穴部２６２を遮蔽する形状であればよい。
【００８２】
実施の形態では、カートリッジ６０は、本体部５４が略円筒形状であった。本発明はこれに限らない。例えば、本体部５４は略角柱形状の箱など、内部に接着剤５５を充填可能な形状であればよい。
【００８３】
図７の供給路８１，８２、図１０の供給路８３，８４は本発明の「供給路」に相当する。図６及び図９の弾性部材２６０は本発明の「圧力保持部材」に相当する。図１の圧縮機２１７は本発明の「圧力源」に相当する。
【符号の説明】
【００８４】
１  布接着装置
２  接着機
１７  ノズル
１８  貯蔵室
４０  バルブ
４６  本体部
４７  蓋部
４９  気体供給口
６０  カートリッジ
７１  供給路
８１，８２，８３，８４  供給路
２１７  圧縮機
２６０  弾性部材
２６１  凸部
２６２  穴部
２６６  貫通孔形成予定部
【図１】
0005397260.tif 000002
【図２】
0005397260.tif 000003
【図３】
0005397260.tif 000004
【図４】
0005397260.tif 000005
【図５】
0005397260.tif 000006
【図６】
0005397260.tif 000007
【図７】
0005397260.tif 000008
【図８】
0005397260.tif 000009
【図９】
0005397260.tif 000010
【図１０】
0005397260.tif 000011
【図１１】
0005397260.tif 000012
【図１２】
0005397260.tif 000013